(57)【要約】      （修正有）【課題】耐衝撃性の向上を図ることができる電子機器を提供する。【解決手段】筐体と、モジュール４１と、前記モジュールを支持したホルダ４２と、前記モジュールと前記ホルダとを固定し、前記モジュールの厚さ方向とは交差する方向に前記モジュールから突出した第１ねじ７１と、前記ホルダに設けられ、前記モジュールの厚さ方向に前記モジュールよりも突出した第１部分６１と、この第１部分から前記第１ねじの突出方向に前記第１ねじよりも突出し、前記第１ねじよりも先に前記筐体に接触可能な第２部分６２とを有した第１緩衝部６５と、を備える。【選択図】図８
2012248117.tif 000002
【特許請求の範囲】
【請求項１】
筐体と、
モジュールと、
前記モジュールを支持したホルダと、
前記モジュールと前記ホルダとを固定し、前記モジュールの厚さ方向とは交差する方向に前記モジュールから突出した第１ねじと、
前記ホルダに設けられ、前記モジュールの厚さ方向に前記モジュールよりも突出した第１部分と、この第１部分から前記第１ねじの突出方向に前記第１ねじよりも突出し、前記第１ねじよりも先に前記筐体に接触可能な第２部分とを有した第１緩衝部と、
を備えたテレビジョン受像機。
【請求項２】
請求項１の記載において、
前記第１部分は、前記モジュールの厚さ方向に延び、前記第１ねじの突出方向に面が向いた板状であるテレビジョン受像機。
【請求項３】
請求項１または請求項２の記載において、
前記ホルダ及び前記第１緩衝部は、金属部材で一体に構成されたテレビジョン受像機。
【請求項４】
請求項１または請求項３の記載において、
前記モジュールは、基板部と、前記モジュールの厚さ方向から前記基板部に重なり、前記基板部よりも強度が弱いディスク部とを有し、
前記第１部分は、前記ディスク部側から突出したテレビジョン受像機。
【請求項５】
請求項１または請求項４の記載において、
前記筐体は、前記モジュールが収容された収容部が設けられ、この収容部は、前記第２部分に向かい合う壁を有したテレビジョン受像機。
【請求項６】
請求項５の記載において、
前記収容部は、前記モジュールを露出させる開口部が設けられ、
前記第１部分は、前記収容部の内部から前記開口部側に突出したテレビジョン受像機。
【請求項７】
請求項６の記載において、
前記モジュールと前記ホルダとを固定し、前記第１ねじとは反対方向に突出した第２ねじと、
前記ホルダに設けられ、前記モジュールの厚さ方向に前記モジュールよりも突出した第１部分と、この第１部分から前記第２ねじの突出方向に前記第２ねじよりも突出した第２部分とを有した第２緩衝部と、
を備えたテレビジョン受像機。
【請求項８】
請求項７の記載において、
前記収容部を覆うカバーを備え、
前記第２緩衝部の第２部分は、前記第２ねじが前記筐体に接触するよりも先に前記カバーに接触可能であるテレビジョン受像機。
【請求項９】
筐体と、
モジュールと、
前記モジュールに設けられた固定部と、
前記モジュールを支持し、前記固定部よりも外側で前記筐体からのストレスを受ける部分を有した支持部と、
を備えた電子機器。
【請求項１０】
筐体と、
モジュールと、
前記モジュールを支持した支持部と、
前記支持部に設けられ、前記モジュールの厚さ方向に前記モジュールよりも突出し、前記モジュールの厚さ方向とは交差する方向の押圧を受ける部分と、
を備えた電子機器。
【発明の詳細な説明】
【技術分野】
【０００１】
本発明の実施形態は、テレビジョン受像機及び電子機器に関する。
【背景技術】
【０００２】
電子機器は、例えばハードディスクドライブ（以下、ＨＤＤ）のようなモジュールを搭載している。
【先行技術文献】
【特許文献】
【０００３】
【特許文献１】特開２００２−３５８７７３号公報
【発明の概要】
【発明が解決しようとする課題】
【０００４】
電子機器は、耐衝撃性の向上が要望されている。
【０００５】
本発明の目的は、耐衝撃性の向上を図ることができるテレビジョン受像機及び電子機器を提供することである。
【課題を解決するための手段】
【０００６】
実施形態によれば、電子機器は、筐体と、モジュールと、前記モジュールに設けられた固定部と、前記モジュールを支持し、前記固定部よりも外側で前記筐体からのストレスを受ける部分を有した支持部とを備える。
【図面の簡単な説明】
【０００７】
【図１】第１の実施形態に係るテレビジョン受像機の正面図。
【図２】第２の実施形態に係る電子機器の斜視図。
【図３】図２中に示された電子機器の下面図。
【図４】図３中に示されたＨＤＤ収容部の下面図。
【図５】図４中に示されたＨＤＤ収容部の、ＨＤＤを取り外した状態の下面図。
【図６】図４中に示されたＨＤＤの斜視図。
【図７】図４中に示されたＨＤＤの下面図。
【図８】図４中に示されたＨＤＤ収容部のＦ８−Ｆ８線に沿う断面図。
【図９】図４中に示されたＨＤＤ収容部のＦ９−Ｆ９線に沿う断面図。
【図１０】図８中に示されたＨＤＤ収容部の、ＨＤＤが位置ずれした状態の断面図。
【図１１】図８中に示されたＨＤＤ収容部の、ホルダが変形した状態の断面図。
【図１２】第３の実施形態に係るＨＤＤ収容部の断面図。
【図１３】第４の実施形態に係るＨＤＤ収容部の断面図。
【図１４】第５の実施形態に係るＨＤＤ収容部の断面図。
【図１５】第６の実施形態に係るＨＤＤ収容部の断面図。
【図１６】第７の実施形態に係るＨＤＤ収容部の断面図。
【図１７】第８の実施形態に係るＨＤＤ収容部の断面図。
【図１８】第９の実施形態に係るＨＤＤ収容部の断面図。
【発明を実施するための形態】
【０００８】
以下、実施の形態について、図面を参照して説明する。
【０００９】
（第１の実施形態）  
図１は、第１の実施形態に係るテレビジョン受像機１３１を示す。テレビジョン受像機１３１は、本体部１３２と、この本体部１３２を支持したスタンド１３３とを有する。本体部１３２は、筐体５と、この筐体５に収容された表示装置２２とを有する。表示装置２２は、画像を表示させる表示画面２２ａを有する。筐体５は、表示画面２２ａを露出させる開口部２１ａを有する。
【００１０】
図１に示すように、テレビジョン受像機１３１は、下記第２乃至第９の実施形態のいずれか一つに係るＨＤＤ収容部２４及びＨＤＤユニット２６を有する。このような構成のテレビジョン受像機１３１によれば、下記第２乃至第９の実施形態で述べる効果と同様の効果を得ることができる。
【００１１】
なお、本実施形態は、テレビジョン受像機１３１に限らず、ノートブック型ポータブルコンピュータ（ノートＰＣ）にも適用することができる。そこで、以下第２乃至第９の実施形態では、ノートＰＣに適用された形態を代表して説明する。
【００１２】
（第２の実施形態）  
図２乃至図１１は、第２の実施形態に係る電子機器１を開示している。電子機器１は、例えばノートＰＣである。なお本実施形態及び下記の実施形態が適用可能な電子機器は、上記例に限られず、テレビジョン受像機や、スレート型ポータブルコンピュータ（スレートＰＣ）、携帯電話、スマートフォン、電子書籍端末、ゲーム機などを含む種々の電子機器に広く適用可能である。
【００１３】
図２に示すように、電子機器１は、第１ユニット２と、第２ユニット３と、ヒンジ部４ａ，４ｂとを有する。第１ユニット２は、例えば電子機器本体である。第１ユニット２は、第１筐体５（以下、単に筐体５）を備えている。筐体５には、例えばメインボードとしての回路基板９が収容されている。筐体５は、上壁６、下壁７、及び周壁８を有し、扁平な箱状に形成されている。上壁６、下壁７、及び周壁８は、それぞれ「壁」の一例である。
【００１４】
下壁７は、電子機器１を机の上に置いた時に、その机上面に向かい合う。下壁７には、机上面に接し、電子機器１を支持する複数の脚部１０が設けられている（図３参照）。上壁６は、下壁７との間に空間を空けて、下壁７と略平行に広がる。上壁６には、第１入力部１１が設けられている。第１入力部１１の一例は、キーボードである。なお「入力部」は、タッチパネル式の入力装置や、その他の入力装置でもよい。
【００１５】
周壁８は、下壁７に対して起立し、下壁７の周縁部と上壁６の周縁部との間を繋いでいる。なお周壁８は、下壁７との間に明確な境界を有さず、下壁７に曲面状に連続してもよい。周壁８の少なくとも一部は、筐体５の厚さ方向に延びている。なお本実施形態では、上壁６から下壁７に向かう方向が「筐体５の厚さ方向」である。
【００１６】
筐体５は、後端部１２（第１端部）と、前端部１３（第２端部）とを有する。後端部１２には、ヒンジ部４ａ，４ｂを介して第２ユニット３が連結されている。前端部１３は、後端部１２とは反対側に位置されている。
【００１７】
周壁８は、前壁８ａ、後壁８ｂ、第１側壁８ｃ（右側壁）、及び第２側壁８ｄ（左側壁）を含む。前壁８ａは、筐体５の前端部１３に位置され、筐体５の横幅方向（左右方向）に延びている。後壁８ｂは、筐体５の後端部１２に位置され、前壁８ａと略平行に筐体５の横幅方向に延びている。側壁８ｃ，８ｄは、それぞれ筐体５の縦幅方向（前後方向）に延びている。側壁８ｃ，８ｄは、それぞれ前壁８ａの端部と後壁８ｂの端部との間を繋いでいる。
【００１８】
図２に示すように、上壁６は、第１入力部１１と前壁８ａとの間に、第２入力部１４と、パームレスト１５とを有する。第２入力部１４の一例は、ポインティングデバイス（例えばタッチパッド）である。なお第２入力部１４は、これに限定されるものではない。パームレスト１５は、第２入力部１４と第１側壁８ｃとの間、及び、第２入力部１４と第２側壁８ｄとの間にそれぞれ設けられている。
【００１９】
図２に示すように、第２ユニット３は、例えば表示部であり、第２筐体２１と、この第２筐体２１に収容された表示装置２２とを備えている。表示装置２２は、例えば液晶ディスプレイであるが、これに限定されるものではない。表示装置２２は、画像が表示される表示画面２２ａを有する。第２筐体２１は、表示画面２２ａを外部に露出させる開口部２１ａを有する。
【００２０】
第２筐体２１は、ヒンジ部４ａ，４ｂによって、第１筐体５の後端部１２に回動可能（開閉可能）に連結されている。これにより電子機器は、第１ユニット２と第２ユニット３とが重ねられた第１の位置と、第１ユニット２と第２ユニット３とが開かれた第２の位置との間で回動可能である。
【００２１】
次に、ＨＤＤ収容部２４について説明する。  
図３に示すように、ＨＤＤ収容部２４は、前壁８ａと第１側壁８ｃとで規定された筐体５のコーナー部に設けられている。ＨＤＤ収容部２４は、パームレスト１５の下方に位置する。ＨＤＤ収容部２４の長手方向は、パームレスト１５の延伸方向に略一致している。一方で、ＨＤＤ収容部２４と後壁８ｂとの間には、ＯＤＤ(Optical Disk Drive)ユニット２５が搭載されている。ＯＤＤユニット２５は、第１入力部１１の下方に位置する。
【００２２】
図３及び図４に示すように、ＨＤＤ収容部２４は、筐体５の下壁７に設けられている。ＨＤＤ収容部２４は、下壁７から筐体５の内側に窪んだ窪み部である。ＨＤＤ収容部２４には、ＨＤＤユニット２６が収容されている。ＨＤＤ収容部２４は、「収容部」の一例である。ＨＤＤユニット２６は、「ユニット」の一例である。なお「収容部」及び「ユニット」は、これらに限定されるものではない。例えばユニットは、筐体５の表面が窪むことで設けられた収容部に収容されるものでもよく、または筐体の内部に収容されるものでもよい。
【００２３】
図４及び図８に示すように、ＨＤＤ収容部２４は、例えばＨＤＤユニット２６よりも一回り大きな略矩形状に形成されている。ＨＤＤ収容部２４は、外部に向けて開口された開口部２７を有し、この開口部２７を通じてＨＤＤ収容部２４の内部が外部に露出可能である。
【００２４】
図５に示すように、ＨＤＤ収容部２４は、第１コネクタ２８が設けられた第１端部２４ａと、この第１端部２４ａとは反対側に位置された第２端部２４ｂとを有する。また、ＨＤＤ収容部２４は、第１壁３１と、この第１壁３１の周囲に設けられた立壁としての第２乃至第５の壁３２，３３，３４，３５とを有する。第１乃至第５の壁３１，３２，３３，３４，３５は、それぞれ「壁」の一例である。
【００２５】
第１壁３１は、筐体５の上壁６と略平行（ＨＤＤユニット２６の長手方向と略平行）に広がり、ＨＤＤ収容部２４の天井部（または底部）を形成している。第２乃至第５の壁３２，３３，３４，３５は、それぞれ第１壁３１の異なる端部から下壁７に向いて、筐体５の厚み方向に延びている。第２乃至第５の壁３２，３３，３４，３５は、互いに協働してＨＤＤユニット２６を４方向から取り囲み、上記開口部２７を規定している。
【００２６】
第２壁３２は、第１端部２４ａに設けられ、第１コネクタ２８を露出させる図示しない開口部を有する。この開口部を通じて、回路基板９に実装された第１コネクタ２８がＨＤＤ収容部２４に露出されている。
【００２７】
第３壁３３は、ＨＤＤ収容部２４の第２端部２４ｂに設けられている。第４及び第５の壁３４，３５は、第２及び第３の壁３２，３３とは交差する方向（例えば略直交する方向）に延び、第２壁３２と第３壁３３との間を繋いでいる。図８に示すように、筐体５の厚さは、筐体５の後端部１２から前端部１３に向いて進むに従い薄くなる。第５壁３５は、第４壁３４に比べて低くなっている。
【００２８】
図５及び図８に示すように、筐体５は、第２乃至第５の壁３２，３３，３４，３５の周囲に、下壁７から一段窪んだ載置部３６を有する。載置部３６には、ＨＤＤ収容部２４を覆うＨＤＤカバー３７が取り付けられる。ＨＤＤカバー３７は、「カバー」の一例である。
【００２９】
図６及び図７に示すように、ＨＤＤユニット２６は、ＨＤＤ４１と、ＨＤＤ４１を保持したホルダ４２とを備えている。ＨＤＤ４１は、「モジュール」の一例である。なお「モジュール」は、ＳＳＤ（Solid State Drive）やその他の記憶装置、またはその他のモジュールであってもよい。ホルダ４２は、「支持部」の一例である。
【００３０】
ＨＤＤ４１は、第１端部４１ａと、この第１端部４１ａとは反対側に位置された第２端部４１ｂとを有する。第１端部４１ａには、ＨＤＤ収容部２４の第１コネクタ２８に接続される第２コネクタ４３が設けられている。第２コネクタ４３は、例えば、フレキシブルケーブルなどを介さずに、第１コネクタ２８に直接に接続（すなわち嵌合）される。
【００３１】
ＨＤＤユニット２６のＨＤＤ収容部２４への取り付けは、次のように行われる。まず、ＨＤＤユニット２６を略鉛直方向からＨＤＤ収容部２４に挿入する。そして、ＨＤＤユニット２６を図４中の矢印Ａの方向にスライドさせる。これにより、第２コネクタ４３と第１コネクタ２８とが機械的に接続され、ＨＤＤユニット２６が回路基板９に電気的に接続される。
【００３２】
図６及び図７に示すように、ＨＤＤ４１は、長方形状の扁平状であり、比較的大きな第１及び第２の面５１，５２と、これらよりも小さな第３乃至第６の面５３，５４，５５，５６とを有する。第１及び第２の面５１，５２は、いわゆる主面であり、ＨＤＤ４１の内部の磁気ディスク５７（図８参照）と略平行に広がる。第３乃至第６の面５３，５４，５５，５６は、いわゆる周面（側面）である。第３乃至第６の面５３，５４，５５，５６は、それぞれ第１及び第２の面５１，５２とは交差する方向（例えば略直交する方向）に延び、第１面５１の周縁部と第２面５２の周縁部との間を繋いでいる。
【００３３】
第３面５３は、第１端部４１ａに位置している。第４面５４は、第２端部４１ｂに位置している。第５及び第６の面５５，５６は、それぞれ第３及び第４の面５３，５４とは交差する方向（例えば略直交する方向）に延び、第３面５３と第４面５４との間を繋いでいる。
【００３４】
図８に示すように、ＨＤＤ４１は、基板部５８と、ディスク部５９とを有する。基板部５８は、ＨＤＤ４１の「第１部分」の一例である。ディスク部５９は、ＨＤＤ４１の「第２部分」の一例である。基板部５８とディスク部５９は、例えばそれぞれ平面視においてＨＤＤ４１の外形と略同じ大きさを有する。基板部５８とディスク部５９は、ＨＤＤ４１の厚さ方向に重なっている。なお「ＨＤＤ４１の厚さ方向」とは、第１面５１から第２面２に向かう方向である。
【００３５】
基板部５８は、回路基板５８ａを有する。基板部５８は、第１面５１に露出されている。ディスク部５９は、磁気ディスク５７を収容している。磁気ディスク５７は、「ディスク」の一例である。ディスク部５９は、基板部５８に比べて機械的強度が弱く、衝撃に対して弱い。ディスク部５９は、第２面５２に露出されている。
【００３６】
図６及び図７に示すように、ホルダ４２は、ＨＤＤ４１を支持している。ホルダ４２は、第１乃至第４の部分６１，６２，６３，６４を有する。第１乃至第４の部分６１，６２，６３，６４及び後述の第１及び第２の緩衝部６５，６６は、例えば金属部材（例えば板金）で一体に形成されている。
【００３７】
図６乃至図８に示すように、第１部分６１は、ＨＤＤ４１の第５面５５に沿う板状に形成され、ＨＤＤ４１の全長に亘って延びている。また、第１部分６１は、ＨＤＤ４１の全厚に亘っている。
【００３８】
第２部分６２は、ＨＤＤ４１の第６面５６に沿う板状に形成され、ＨＤＤ４１の全長に亘って延びている。また、第２部分６２は、第６面５６の全厚に亘っている。図６及び図９に示すように、第１及び第２の部分６１，６２には、それぞれＨＤＤユニット２６の外側に向いて突出した凸部６７が設けられている。なお、凸部６７は、例えばホルダ４２の強度向上を目的とするものであるが、これ以外のものでもよい。
【００３９】
図６及び図８に示すように、ＨＤＤユニット２６は、ＨＤＤ４１とホルダ４２とを固定する第１及び第２のねじ７１，７２を有する。ねじ７１，７２は、「固定部」の一例である。なお「固定部」は、これに限らず、例えば溶着ピンや、その他の固定部であってもよい。ホルダ４２の第１及び第２の部分６１，６２は、挿通孔７３を有する。ＨＤＤ４１は、挿通孔７３に対向したねじ穴７４を有する。ねじ７１，７２は、挿通孔７３に通され、ねじ穴７４に係合している。これにより、ＨＤＤ４１とホルダ４２とが固定されている。
【００４０】
図８に示すように、第１及び第２のねじ７１，７２の一部（例えばねじ頭）は、ＨＤＤ４１の厚さ方向とは交差する方向（例えば略直交する方向）にＨＤＤ４１から突出している。第１ねじ７１は、ホルダ４２の第１部分６１に取り付けられ、ＨＤＤ収容部２４の第４壁３４に向いて突出している。第２ねじ７２は、ホルダ４２の第２部分６２に取り付けられ、ＨＤＤ収容部２４の第５壁３５に向いて突出している。すなわち、第２ねじ７２は、第１ねじ７１とは反対方向に突出している。
【００４１】
図６及び図７に示すように、第３部分６３は、ＨＤＤ４１の第４面５４に沿う板状に形成され、第１部分６１の端部と第２部分６２の端部との間を繋いでいる。第４部分６４は、第３部分６３からＨＤＤ４１とは反対側に延びている。
【００４２】
図５に示すように、ＨＤＤ収容部２４は、ホルダ４２の第４部分６４を受ける取付部７６を有する。取付部７６は、第３壁３３に隣接し、ホルダ４２の第４部分６４に対向する。取付部７６は、凹部７７、ねじ穴７８、フック７９、及び端子８０を有する。端子８０は、筐体５に設けられたグランドに電気的に接続されている。端子８０は、ＨＤＤユニット２６のホルダ４２に接触する。これにより、ＨＤＤユニット２６のホルダ４２が筐体５のグランドにアースされる。
【００４３】
図６に示すように、ホルダ４２の第４部分６４は、フック８１、挿通孔８２、及び係合穴８３を有する。フック８１は、取付部７６の凹部７７に係合する。挿通孔８２は、取付部７６のねじ穴７８に対向する。第３ねじ８４（図４参照）は、挿通孔８２に通され、ねじ穴７８に係合する。これにより、第３ねじ８４は、ホルダ４２と筐体５とを固定する固定部の一例である。係合穴８３は、取付部７６のフック７９に係合される。凹部７７、ねじ穴７８、フック７９、フック８１、挿通孔８２、及び係合穴８３は、それぞれ「係合部」の一例である。なお係合部は、これらに限定されるものではない。
【００４４】
次に、ホルダ４２に設けられた第１及び第２の緩衝部６５，６６について説明する。  
図８に示すように、第１及び第２の緩衝部６５，６６は、ホルダ４２を構成する板金の一部が、ＨＤＤ４１の端面（例えば第２面５２）よりも外側に突出することで構成されている。詳しく述べると、第１緩衝部６５は、ホルダ４２の第１部分６１に設けられている。第１緩衝部６５は、第１部分９１と、第２部分９２とを有する。
【００４５】
第１部分９１は、ＨＤＤ４１の厚さ方向に延び、ＨＤＤ４１よりも突出している。すなわち、第１部分９１は、ＨＤＤ４１の第２面５２を超えて、ＨＤＤ４１の外側に突出している。第１部分９１は、例えば該第１部分９１の板厚よりも大きな長さだけ、ＨＤＤ４１の第２面５２よりも突出している。
【００４６】
第１部分９１は、ＨＤＤ４１の厚さ方向に延び、第１ねじ７１の突出方向に面が向いた板状に形成されている。すなわち、第１部分９１は、第１ねじ７１の突出方向からある程度の力（ストレス）が加わった時に折れ曲がり可能なダンパー部である。第１部分９１は、第１ねじ７１の突出方向では、ＨＤＤ４１に重なっていない。すなわち第１部分９１は、ＨＤＤ４１の側面を外れた位置にある。第１部分９１の背後には、第１部分９１の倒れ（折れ曲がり）を許容する空間部が存在する。
【００４７】
第２部分９２は、例えば第１部分９１の端部から折れ曲げられた曲げ部である。第２部分９２は、ＨＤＤ４１の厚さ方向とは交差する方向（例えば略直交する方向）に延びている。第２部分９２は、例えばＨＤＤ４１の第２面５２と略平行な板状に形成されている。
【００４８】
図８に示すように、第２部分９２は、第１ねじ７１の突出方向に、第１ねじ７１よりも突出している。すなわち、第２部分９２は、第１部分９１からＨＤＤ収容部２４の第４壁３４に向いて突出し、第１ねじ７１よりも第４壁３４の近くに位置している。これにより、第２部分９２は、第１ねじ７１よりも先に筐体５に接触可能になっている。
【００４９】
第１緩衝部６５は、第１ねじ（固定部）よりも外側で筐体５からストレスを受ける部分の一例である。また第１緩衝部６５は、ＨＤＤ４１の厚さ方向にＨＤＤ４１よりも突出し、ＨＤＤ４１の厚さ方向とは交差する方向の押圧を受ける部分の一例である。
【００５０】
また、図９に示すように、第２部分９２は、ホルダ４２の凸部６７の突出方向に、凸部６７よりも突出している。これにより、第２部分９２は、凸部６７よりも先に筐体５に接触可能になっている。
【００５１】
一方で、図８に示すように、第２緩衝部６６は、ホルダ４２の第２部分６２に設けられている。第２緩衝部６６は、第１緩衝部６５と同様に、第１部分９３と、第２部分９４とを有する。第１部分９３は、ＨＤＤ４１の厚さ方向に延び、ＨＤＤ４１よりも突出している。すなわち、第１部分９３は、ＨＤＤ４１の第２面５２を超えて、ＨＤＤ４１の外側に突出している。第１部分９３は、例えば該第１部分９３の板厚よりも大きな長さだけ、ＨＤＤ４１の第２面５２よりも突出している。
【００５２】
第１部分９３は、ＨＤＤ４１の厚さ方向に延び、第２ねじ７２の突出方向に面が向いた板状に形成されている。すなわち、第２部分９４は、第２ねじ７２の突出方向からある程度の力（ストレス）が加わった時に折れ曲がり可能なダンパー部である。第２部分９４は、第２ねじ７２の突出方向では、ＨＤＤ４１に重なっていない。すなわち第１部分９３は、ＨＤＤ４１の側面を外れた位置にある。第１部分９３の背後には、第１部分９３の倒れ（折れ曲がり）を許容する空間部が存在する。
【００５３】
第２部分９４は、例えば第１部分９３の端部から折れ曲げられた曲げ部である。第２部分９４は、ＨＤＤ４１の厚さ方向とは交差する方向（例えば略直交する方向）に延びている。第２部分９４は、例えばＨＤＤ４１の第２面５２と略平行な板状に形成されている。
【００５４】
図８に示すように、第２部分９４は、第２ねじ７２の突出方向に、第２ねじ７２よりも突出している。ＨＤＤカバー３７は、第２緩衝部６６に向かい合うリブ９６を有する。リブ９６は、「受け部」の一例である。第２緩衝部６６の第２部分９４は、第１部分９３からＨＤＤカバー３７のリブ９６に向いて突出し、第２ねじ７２よりもリブ９６の近くに位置している。これにより、第２部分９４は、第２ねじ７２が筐体５に接触するよりも先に、ＨＤＤカバー３７に接触可能になっている。
【００５５】
第２緩衝部６６は、第２ねじ（固定部）よりも外側でＨＤＤカバー３７からストレスを受ける部分の一例である。また第２緩衝部６６は、ＨＤＤ４１の厚さ方向にＨＤＤ４１よりも突出し、ＨＤＤ４１の厚さ方向とは交差する方向の押圧を受ける部分の一例である。
【００５６】
また、図９に示すように、第２部分９４は、ホルダ４２の凸部６７の突出方向に、凸部６７よりも突出している。これにより、第２部分９４は、凸部６７が筐体５に接触するよりも先に、ＨＤＤカバー３７に接触可能になっている。
【００５７】
図８に示すように、第１及び第２の緩衝部６５，６６は、ＨＤＤ収容部２４において、開口部２７側に設けられている。すなわち、第１及び第２の緩衝部６５，６６は、ＨＤＤ収容部２４の内部から、開口部２７に向いて突出している。
【００５８】
図８に示すように、ＨＤＤ４１の基板部５８は、ＨＤＤ収容部２４の第１壁３１側に位置し、ディスク部５９は、開口部２７側に位置している。第１及び第２の緩衝部６５，６６は、ディスク部５９側から突出している。本実施形態では、基板部５８側には、緩衝部は設けられていない。
【００５９】
図６及び図７に示すように、第１緩衝部６５は、ＨＤＤ４１の長手方向の略全長に亘って設けられている。第１緩衝部６５は、ＨＤＤカバー３７に設けられた爪部に対応した位置に、切欠き部９７を有する。なお厳密には、第１緩衝部６５は、ホルダ４２の第１部分６１の長手方向の両端部には設けられていない。略同様に、第２緩衝部６６は、ＨＤＤ４１の長手方向の略全長に亘って設けられている。なお厳密には、第２緩衝部６６は、ホルダ４２の第２部分６２の長手方向の両端部には設けられていない。
【００６０】
次に、第１及び第２の緩衝部６５，６６の作用について説明する。  
例えば誤って電子機器１を落下させた場合、電子機器１には衝撃が加わる。図４に示すように、ＨＤＤユニット２６と筐体５は、第３ねじ８４によって固定されている。このため、電子機器１に衝撃が加わった時、ＨＤＤユニット２６は、図４の矢印Ｂで示すような横揺れを生じやすい。またこの衝撃は、図１０の矢印Ｃで示すような回動運動を伴いやすい。
【００６１】
図１０は、衝撃が加わり、ＨＤＤユニット２６が図中の右方向に横ずれした例を示す。このとき、第１緩衝部６５の第２部分９２が、第１ねじ７１及び凸部６７よりも先にＨＤＤ収容部２４の第４壁３４に接触する。衝撃がある程度大きい場合、第４壁３４に接触した第１緩衝部６５は、第４壁３４とは反対側に折れ曲がる。これにより、衝撃の一部が吸収され、ＨＤＤ４１に伝わる衝撃が緩和される。
【００６２】
一方で、ＨＤＤユニット２６が図中の左方向に位置ずれした場合は、第２ねじ７２及び凸部６７がＨＤＤ収容部２４の第５壁３５に接触するよりも先に、第２緩衝部６６の第２部分９４がＨＤＤカバー３７のリブ９６に接触する。衝撃がある程度大きい場合、ＨＤＤカバー３７に接触した第２緩衝部６６は、ＨＤＤカバー３７のリブ９６とは反対側に折れ曲がる。これにより、衝撃の一部が吸収され、ＨＤＤ４１に伝わる衝撃が緩和される。
【００６３】
また、第２緩衝部６６がＨＤＤカバー３７に接触すると、その衝撃でＨＤＤカバー３７が筐体５から外れることもある。この場合、ＨＤＤカバー３７が筐体５から外れることで衝撃の一部が吸収される（分散される）。これにより、ＨＤＤ４１に伝わる衝撃がさらに緩和される。
【００６４】
このような構成によれば、電子機器１の耐衝撃性の向上を図ることができる。  
ＨＤＤ４１とホルダ４２とを固定する第１及び第２のねじ７１，７２は、ＨＤＤ４１のねじ穴７４に係合し、ＨＤＤ４１の内部にまで達している。このため、第１及び第２のねじ７１，７２が筐体５に接触すると、筐体５からの衝撃（ストレス）が、ＨＤＤ４１の内部に直接に入力されてしまう。
【００６５】
そこで本実施形態のホルダ４２は、第１ねじ７１よりも外側で筐体５からのストレスを受ける第１緩衝部６５を有する。このため、第１ねじ７１が筐体５に接触し、第１ねじ７１からＨＤＤ４１に衝撃が入力される前に、第１緩衝部６５がその衝撃の一部を吸収することができる。このため、ＨＤＤ４１に加わる衝撃を緩和することができ、電子機器１の耐衝撃性を高めることができる。
【００６６】
さらに言えば、ホルダ４２の一部によって耐衝撃性を高めることができるので、ＨＤＤ収容部２４に設けられる衝撃緩和部材（例えばゴム）を少なくする、または省略することができる。これは電子機器１の低コスト化に寄与する。
【００６７】
本実施形態では、第１緩衝部６５は、ＨＤＤ４１の厚さ方向にＨＤＤ４１よりも突出した第１部分９１と、この第１部分９１から第１ねじ７１の突出方向に第１ねじ７１よりも突出し、第１ねじ７１よりも先に筐体５に接触可能な第２部分９２とを有する。すなわち、第１緩衝部６５は、ＨＤＤ４１の側面を外れた位置に設けられ、大きく折れ曲がることが可能になっている。このような第１緩衝部６５は、衝撃をさらに吸収しやすい。
【００６８】
本実施形態では、第１部分９１は、ＨＤＤ４１の厚さ方向に延び、第１ねじ７１の突出方向に面が向いた板状である。このような構成であれば、第１部分９１は、第２部分９２が筐体５に接触した時にさらに折れ曲がりやすい。このため、第１緩衝部６５は、衝撃をさらに吸収しやすい。本実施形態では、ホルダ４２及び第１緩衝部６５は、金属部材で一体に構成されている。このような構成によれば、第１緩衝部６５を比較的低コストで実現することができる。
【００６９】
本実施形態では、ＨＤＤ４１は、基板部５８と、ＨＤＤ４１の厚さ方向から基板部５８に重なり、基板部５８よりも強度が弱いディスク部５９とを有する。そして、第１部分９１は、ディスク部５９側から突出している。このような構成によれば、強度が弱いディスク部５９側の保護をより効果的に図ることができる。
【００７０】
本実施形態では、第１ねじ７１とは反対方向に突出した第２ねじ７２と、ＨＤＤ４１の厚さ方向にＨＤＤ４１よりも突出した第１部分９３と、この第１部分９３から第２ねじ７２の突出方向に第２ねじ７２よりも突出した第２部分９４とを有した第２緩衝部６６とを備える。このような構成によれば、第２ねじ７２が筐体５に接触し、第２ねじ７２からＨＤＤ４１に衝撃が入力される前に、第２緩衝部６６がその衝撃の一部を吸収することができる。このため、ＨＤＤ４１に加わる衝撃を緩和することができ、電子機器１の耐衝撃性をさらに高めることができる。
【００７１】
本実施形態では、電子機器１は、ＨＤＤ収容部２４を覆うカバー３７を備える。そして、第２緩衝部６６の第２部分９４は、第２ねじ７２が筐体５に接触するよりも先にカバー３７に接触可能である。第２緩衝部６６がＨＤＤカバー３７に接触すると、その衝撃でＨＤＤカバー３７が筐体５から外れることがある。この場合、ＨＤＤカバー３７が筐体５から外れることで衝撃の一部が分散される。これにより、第２ねじ７２からＨＤＤ４１に衝撃が入力される前に、第２緩衝部６６がその衝撃の一部をより緩和することができる。
【００７２】
なお、本実施形態では、第１及び第２の緩衝部６５，６６は、ＨＤＤ４１の全長に亘って設けられたが、これに代えて、ＨＤＤ４１の全長に対して部分的に設けてもよい。第１及び第２の緩衝部６５，６６は、さらに撓みやすい（折れ曲がりやすい）ものにするために、例えば切れ目が入れられたものでもよい。
【００７３】
次に、第３乃至第９の実施形態について説明する。なお上記第１及び第２の実施形態の構成と同一または類似の機能を有する構成は、同一の符号を付してその説明を省略する。また、下記に説明する以外の構成は、上記第２の実施形態と同じである。
【００７４】
（第３の実施形態）  
図１２は、第３の実施形態に係る電子機器１を示す。本実施形態では、第１及び第２の緩衝部６５，６６は、ディスク部５９側だけでなく、基板部５８側にも設けられている。
【００７５】
このような構成によれば、第２の実施形態と同様に、電子機器１の耐衝撃性の向上を図ることができる。第１及び第２の緩衝部６５，６６がＨＤＤ４１の厚さ方向の両側に設けられていると、電子機器１の耐衝撃性の向上をさらに図ることができる。
【００７６】
（第４の実施形態）  
図１３は、第４の実施形態に係る電子機器１を示す。本実施形態の第１緩衝部６５は、ＨＤＤ４１の第５面５５の途中からＨＤＤ収容部２４の第４壁３４に向いて折れ曲がった第１部分１０１と、第１部分１０１の端部からＨＤＤ４１の第４壁３４と略平行に延びた第２部分１０２とを有する。第１部分１０１は、第１ねじ７１の突出方向に第１ねじ７１よりも突出している。第２部分１０２は、第１ねじ７１よりも先に筐体５に接触可能である。第１緩衝部６５は、第１ねじ７１（固定部）よりも外側で筐体５からのストレスを受ける。
【００７７】
本実施形態の第２緩衝部６６は、ＨＤＤ４１の第６面５６の途中からＨＤＤ収容部２４の第５壁３５に向いて折れ曲がった第１部分１０３と、第１部分１０３の端部からＨＤＤ４１の第５壁３５と略平行に延びた第２部分１０４とを有する。第１部分１０３は、第２ねじ７２の突出方向に第２ねじ７２よりも突出している。第２部分１０４は、第２ねじ７２よりも先に筐体５及びＨＤＤカバー３７の少なくとも一方に接触可能である。第２緩衝部６６は、第２ねじ７２（固定部）よりも外側で筐体５及びＨＤＤカバー３７の少なくとも一方からのストレスを受ける。
【００７８】
このような構成によれば、第２の実施形態と同様に、電子機器１の耐衝撃性の向上を図ることができる。
【００７９】
（第５の実施形態）  
図１４は、第５の実施形態に係る電子機器１を示す。本実施形態では、第１及び第２の緩衝部６５，６６は、第２部分９２，９４有しない。ＨＤＤ収容部２４の第４壁３４は、第１緩衝部６５の第１部分９１に向いて突出した凸部１１１を有する。このため、第１緩衝部６５の第１部分９１は、第１ねじ７１がＨＤＤ収容部２４の第４壁３４に接触するよりも先に、第４壁３４の凸部１１１に接触可能である。これにより、第１ねじ７１が筐体５に接触し、第１ねじ７１からＨＤＤ４１に衝撃が入力される前に、第１緩衝部６５がその衝撃の一部を吸収することができる。このため、ＨＤＤ４１に加わる衝撃を緩和することができ、電子機器１の耐衝撃性を高めることができる。
【００８０】
同様に、ＨＤＤカバー３７のリブ９６は、ＨＤＤ収容部２４の第５壁３５よりも、第２緩衝部６６の第１部分９３に向いて突出している。このため、第２緩衝部６６の第１部分９３は、第２ねじ７２がＨＤＤ収容部２４の第５壁３５に接触するよりも先に、ＨＤＤカバー３７のリブ９６に接触可能である。これにより、第２ねじ７２が筐体５に接触し、第２ねじ７２からＨＤＤ４１に衝撃が入力される前に、第２緩衝部６６がその衝撃の一部を吸収することができる。このため、ＨＤＤ４１に加わる衝撃を緩和することができ、電子機器１の耐衝撃性を高めることができる。
【００８１】
（第６の実施形態）  
図１５は、第６の実施形態に係る電子機器１を示す。本実施形態では、ホルダ４２は、ＨＤＤ４１の厚さ方向にＨＤＤ４１よりも突出した突出部１１６を有する。突出部１１６は、筐体５（例えばＨＤＤ収容部２４）の一部に当接し、ＨＤＤ４１の厚さ方向とは交差する方向の押圧を受ける部分の一例であり、いわゆる受け部（係合部）である。図１５に示すように、突出部１１６は、ＨＤＤ４１の側面（第５及び第６の面５５，５６）を外れた位置に位置している。
【００８２】
一方で、筐体５（例えばＨＤＤ収容部２４）は、ＨＤＤ４１の厚さ方向とは交差する方向（例えば略直交する方向）からホルダ４２の突出部１１６に対向した突出部１１７（当接部）を有する。この突出部１１７は、ＨＤＤ４１の厚さ方向とは交差する方向（例えば略直交する方向）からホルダ４２の突出部１１６に当接可能であり、ＨＤＤ４１の厚さ方向とは交差する方向（例えば略直交する方向）の押圧をホルダ４２に加える。
【００８３】
なお、筐体５の突出部１１７とホルダ４２の突出部１１６とは、通常時において接していてもよく、また通常時には離れているとともに、衝撃が加わりＨＤＤユニット２６が横ずれした時に接して押圧力を及ぼしてもよい。
【００８４】
このような構成によれば、ＨＤＤユニット２６の位置ずれ（例えば横ずれ）を抑制することができ、第１及び第２のコネクタ２８，４３に加わる負荷を緩和することができる。また上記構成によれば、第２の実施形態と同様に、電子機器１の耐衝撃性の向上を図ることができる。なお、上記突出部１１７は、ＨＤＤカバー３７に設けられてもよい。
【００８５】
（第７の実施形態）  
図１６は、第７の実施形態に係る電子機器１を示す。本実施形態では、筐体５（例えばＨＤＤ収容部２４）は、第１及び第２の緩衝部６５，６６の第２部分９２，９４を受ける受け部１２１（載置部）を有する。受け部１２１は、第１及び第２の緩衝部６５，６６を、ＨＤＤ４１の厚さ方向から受ける。また受け部１２１は、ＨＤＤ４１の厚さ方向とは交差する方向（例えば略直交する方向）の押圧を受ける部分の一例である。
【００８６】
このような構成によれば、第１及び第２の緩衝部６５，６６が受け部１２１に載せられることで、ＨＤＤユニット２６の位置ずれ（例えば横ずれ）を抑制し、第１及び第２のコネクタ２８，４３に加わる負荷を緩和することができる。また上記構成によれば、第２の実施形態と同様に、電子機器１の耐衝撃性の向上を図ることができる。
【００８７】
（第８の実施形態）  
図１７は、第８の実施形態に係る電子機器１を示す。本実施形態では、筐体５（例えばＨＤＤ収容部２４）は、ホルダ４２を支持する受け部１２５を有する。受け部１２５は、例えばＨＤＤ４１の厚さ方向にＨＤＤ４１よりも突出したホルダ４２の部分（例えば第１または第２の緩衝部６５，６６）を挟み持つリブである。受け部１２５に接するホルダ４２の部分（例えば第１または第２の緩衝部６５，６６）は、ＨＤＤ４１の厚さ方向とは交差する方向（例えば略直交する方向）の押圧を受ける部分の一例である。
【００８８】
このような構成によれば、ＨＤＤユニット２６の位置ずれ（例えば横ずれ）を抑制し、第１及び第２のコネクタ２８，４３に加わる負荷を緩和することができる。また上記構成によれば、第２の実施形態と同様に、電子機器１の耐衝撃性の向上を図ることができる。なお、受け部１２５は、筐体５に代えて、または筐体５に加えて、ＨＤＤカバー３７に設けられてもよい。
【００８９】
なお、受け部１２５から押圧を受けるホルダの部分は、第１及び第２の緩衝部６５，６６のような押圧が加えられた時に折れ曲がるもの（ダンパー機能を有するもの）に限らず、折れ曲がらないものでもよい。また、このホルダの部分は、通常時において受け部１２５と接していてもよく、また通常時には離れているとともに、衝撃が加わりＨＤＤユニット２６が横ずれした時に受け部１２５に接して押圧力を受けてもよい。なおこれらは下記第９の実施形態でも同様である。
【００９０】
（第９の実施形態）  
図１８は、第９の実施形態に係る電子機器１を示す。本実施形態では、筐体５（例えばＨＤＤ収容部２４）は、ホルダ４２を支持する受け部１２５を有する。受け部１２５は、例えばＨＤＤ４１の厚さ方向にＨＤＤ４１よりも突出したホルダ４２の部分（例えば第１または第２の緩衝部６５，６６）に、ＨＤＤ４１の厚さ方向とは交差する方向（例えば略直交する方向）から当接するリブである。受け部１２５に接するホルダ４２の部分（例えば第１または第２の緩衝部６５，６６）は、ＨＤＤ４１の厚さ方向とは交差する方向（例えば略直交する方向）の押圧を受ける部分の一例である。
【００９１】
このような構成によれば、ＨＤＤユニット２６の位置ずれ（例えば横ずれ）を抑制し、第１及び第２のコネクタ２８，４３に加わる負荷を緩和することができる。また上記構成によれば、第２の実施形態と同様に、電子機器１の耐衝撃性の向上を図ることができる。なお、受け部１２５は、筐体５に代えて、または筐体５に加えて、ＨＤＤカバー３７に設けられてもよい。
【００９２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００９３】
例えば、第１及び第２の緩衝部６５，６６、突出部１１６，１１７，受け部１２１，１２５などの形状や材料は、上記に限定されるものではない。第１及び第２の緩衝部６５，６６は、必ず両方設けられる必要はなく、いずれか一方のみが設けられてもよい。すなわち、ホルダ４２は、筐体５からのストレス（押圧）を受けず、ＨＤＤカバー３７からのストレス（押圧）を受ける部分のみを有してもよい。電子機器１の一例は、カバーが設けられた筐体と、モジュールと、前記モジュールに設けられた固定部と、前記モジュールを支持し、前記固定部よりも外側で前記カバーからのストレスを受ける部分を有した支持部とを備えてもよい。
【００９４】
なお上記説明における「第１…」「第２…」などの名称は、説明の便宜上、説明の順序に沿って付けたものであり、適宜番号を入れ替えて称してもよい。
【符号の説明】
【００９５】
１…電子機器、５…筐体、２４…ＨＤＤ収容部、２６…ＨＤＤユニット、２７…開口部、３１〜３５…壁、３７…ＨＤＤカバー、４１…ＨＤＤ、４２…ホルダ、５７…磁気ディスク、５８…基板部、５９…ディスク部、６５…第１緩衝部、６６…第２緩衝部、７１…ねじ。
【図１】
2012248117.tif 000003
【図２】
2012248117.tif 000004
【図３】
2012248117.tif 000005
【図４】
2012248117.tif 000006
【図５】
2012248117.tif 000007
【図６】
2012248117.tif 000008
【図７】
2012248117.tif 000009
【図８】
2012248117.tif 000010
【図９】
2012248117.tif 000011
【図１０】
2012248117.tif 000012
【図１１】
2012248117.tif 000013
【図１２】
2012248117.tif 000014
【図１３】
2012248117.tif 000015
【図１４】
2012248117.tif 000016
【図１５】
2012248117.tif 000017
【図１６】
2012248117.tif 000018
【図１７】
2012248117.tif 000019
【図１８】
2012248117.tif 000020
【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
筐体と、
側面を有したモジュールと、
前記側面に沿う板部を有して前記モジュールを支持したホルダと、
前記モジュールと前記ホルダとを固定し、前記モジュールの厚さ方向とは交差する方向に前記モジュールから突出した第１ねじと、
前記ホルダの板部が延長されて前記モジュールの厚さ方向に前記モジュールよりも突出した第１部分と、この第１部分の端部が折り曲げられて前記第１ねじの突出方向に前記第１ねじよりも突出し、前記側面とは重ならない位置で前記第１ねじよりも先に前記筐体に接触可能な第２部分とを有した第１緩衝部と、
を備えた電子機器。
【請求項２】
請求項１の記載において、
前記筐体は、底を有して前記モジュールが収容された収容部と、該収容部を覆うカバーとを有し、
前記第１緩衝部は、前記筐体に接触した時に、前記底と前記モジュールとの間、または前記カバーと前記モジュールとの間に入るように前記第２部分とは反対側に折れ曲がり可能である電子機器。
【請求項３】
請求項１または請求項２の記載において、
前記第１部分は、前記モジュールの厚さ方向に延び、前記第１ねじの突出方向に面が向いた板状である電子機器。
【請求項４】
請求項１または請求項３の記載において、
前記ホルダ及び前記第１緩衝部は、金属部材で一体に構成された電子機器。
【請求項５】
請求項１または請求項４の記載において、
前記モジュールは、基板部と、前記モジュールの厚さ方向から前記基板部に重なり、前記基板部よりも強度が弱いディスク部とを有し、
前記第１部分は、前記ディスク部側から突出した電子機器。
【請求項６】
請求項１の記載において、
前記筐体は、前記モジュールが収容された収容部が設けられ、この収容部は、前記第２部分に向かい合う壁を有した電子機器。
【請求項７】
請求項６の記載において、
前記収容部は、前記モジュールを露出させる開口部が設けられ、
前記第１部分は、前記収容部の内部から前記開口部側に突出した電子機器。
【請求項８】
請求項７の記載において、
前記モジュールと前記ホルダとを固定し、前記第１ねじとは反対方向に突出した第２ねじと、
前記ホルダに設けられ、前記モジュールの厚さ方向に前記モジュールよりも突出した第１部分と、この第１部分から前記第２ねじの突出方向に前記第２ねじよりも突出した第２部分とを有した第２緩衝部と、
を備えた電子機器。
【請求項９】
請求項８の記載において、
前記収容部を覆うカバーを備え、
前記第２緩衝部の第２部分は、前記第２ねじが前記筐体に接触するよりも先に前記カバーに接触可能である電子機器。
【請求項１０】
請求項１乃至請求項９のいずれかに記載の電子機器の構成を有したテレビジョン受像機。
【請求項１１】
筐体と、
側面を有したモジュールと、
前記側面に沿う板部を有して前記モジュールを支持したホルダと、
前記モジュールと前記ホルダとを固定し、前記モジュールの厚さ方向とは交差する方向に前記モジュールから突出した固定部と、
前記ホルダの板部が延長されて前記モジュールの厚さ方向に前記モジュールよりも突出した第１部分と、この第１部分の端部が折り曲げられて前記固定部の突出方向に前記固定部よりも突出し、前記側面とは重ならない位置で前記固定部よりも先に前記筐体に接触可能な第２部分とを有した緩衝部と、
を備えた電子機器。
【手続補正２】
【補正対象書類名】明細書
【補正対象項目名】０００６
【補正方法】変更
【補正の内容】
【０００６】
実施形態によれば、電子機器は、筐体と、側面を有したモジュールと、前記側面に沿う板部を有して前記モジュールを支持したホルダと、固定部と、緩衝部とを備える。前記固定部は、前記モジュールと前記ホルダとを固定し、前記モジュールの厚さ方向とは交差する方向に前記モジュールから突出している。前記緩衝部は、前記ホルダの板部が延長されて前記モジュールの厚さ方向に前記モジュールよりも突出した第１部分と、この第１部分の端部が折り曲げられて前記固定部の突出方向に前記固定部よりも突出し、前記側面とは重ならない位置で前記固定部よりも先に前記筐体に接触可能な第２部分とを有する。
【手続補正３】
【補正対象書類名】明細書
【補正対象項目名】００９４
【補正方法】変更
【補正の内容】
【００９４】
なお上記説明における「第１…」「第２…」などの名称は、説明の便宜上、説明の順序に沿って付けたものであり、適宜番号を入れ替えて称してもよい。
以下に、いくつかのテレビジョン受像機及び電子機器を付記する。
[１]、(i)筐体と、(ii)モジュールと、(iii)前記モジュールを支持したホルダと、(iv)前記モジュールと前記ホルダとを固定し、前記モジュールの厚さ方向とは交差する方向に前記モジュールから突出した第１ねじと、(v)前記ホルダに設けられ、前記モジュールの厚さ方向に前記モジュールよりも突出した第１部分と、この第１部分から前記第１ねじの突出方向に前記第１ねじよりも突出し、前記第１ねじよりも先に前記筐体に接触可能な第２部分とを有した第１緩衝部と、を備えたテレビジョン受像機。
[２]、[１]の記載において、前記第１部分は、前記モジュールの厚さ方向に延び、前記第１ねじの突出方向に面が向いた板状であるテレビジョン受像機。
[３]、[１]または[２]の記載において、前記ホルダ及び前記第１緩衝部は、金属部材で一体に構成されたテレビジョン受像機。
[４]、[１]または[３]の記載において、前記モジュールは、基板部と、前記モジュールの厚さ方向から前記基板部に重なり、前記基板部よりも強度が弱いディスク部とを有し、前記第１部分は、前記ディスク部側から突出したテレビジョン受像機。
[５]、[１]または[４]の記載において、前記筐体は、前記モジュールが収容された収容部が設けられ、この収容部は、前記第２部分に向かい合う壁を有したテレビジョン受像機。
[６]、[５]の記載において、前記収容部は、前記モジュールを露出させる開口部が設けられ、前記第１部分は、前記収容部の内部から前記開口部側に突出したテレビジョン受像機。
[７]、[６]の記載において、前記モジュールと前記ホルダとを固定し、前記第１ねじとは反対方向に突出した第２ねじと、前記ホルダに設けられ、前記モジュールの厚さ方向に前記モジュールよりも突出した第１部分と、この第１部分から前記第２ねじの突出方向に前記第２ねじよりも突出した第２部分とを有した第２緩衝部と、を備えたテレビジョン受像機。
[８]、[７]の記載において、前記収容部を覆うカバーを備え、前記第２緩衝部の第２部分は、前記第２ねじが前記筐体に接触するよりも先に前記カバーに接触可能であるテレビジョン受像機。
[９]、筐体と、モジュールと、前記モジュールに設けられた固定部と、前記モジュールを支持し、前記固定部よりも外側で前記筐体からのストレスを受ける部分を有した支持部と、を備えた電子機器。
[１０]、筐体と、モジュールと、前記モジュールを支持した支持部と、前記支持部に設けられ、前記モジュールの厚さ方向に前記モジュールよりも突出し、前記モジュールの厚さ方向とは交差する方向の押圧を受ける部分と、を備えた電子機器。